(57)【特許請求の範囲】
【請求項１】
使用者が衣類の乾燥が終了するまでの目標終了時間及び運転開始を指示するための操作部と、浴室内部の空気を排出する換気手段と、衣類に風を送る送風手段と、衣類に熱を与える加熱手段と、浴室内部の温度及び湿度を検知する浴室用温湿度検知手段と、浴室の換気経路上の風上に当たる隣室の温度及び湿度を検知する隣室用温湿度検知手段と、前記操作部及び前記浴室用温湿度検知手段及び前記隣室用温湿度検知手段の信号を受けて前記換気手段及び前記送風手段及び前記加熱手段を制御する制御手段と、前記制御手段に接続され時間を計測するタイマーを備え、前記制御手段が前記浴室用温湿度検知手段と前記隣室用温湿度検知手段で検知された各温度及び湿度から衣類の乾燥状態を計算し、算出された衣類の乾燥状態及び前記目標終了時間に達するまでの残り時間から、加熱量が必要最小限となるように前記加熱手段の動作を制御する浴室換気乾燥機。
【請求項２】
衣類からの水分の蒸発速度から衣類の量を推測する請求項１記載の浴室換気乾燥機。
【請求項３】
浴室からの水分の排出速度と衣類からの水分の蒸発速度との比較により衣類の表面積を推測し、衣類の表面積から衣類の量を推測する請求項２記載の浴室換気乾燥機。
【請求項４】
制御手段が所定の時間ごとに加熱手段の加熱量を調節する請求項１〜３のいずれかに記載の浴室換気乾燥機。
【請求項５】
制御手段が目標終了時間内に衣類を乾燥させるために必要な浴室内部の空気の目標乾燥性能を決定し、前記目標乾燥性能に基づいて加熱手段の加熱量を調節する請求項４記載の浴室換気乾燥機。
【請求項６】
制御手段が空気の目標乾燥性能を決定する際に、衣類の減率乾燥の影響を考慮する請求項５記載の浴室換気乾燥機。
【請求項７】
制御手段がタイマーを用いて、空気の目標乾燥性能を所定の時間ごとに修正する請求項５または６記載の浴室換気乾燥機。
【請求項８】
運転開始時に換気手段と送風手段のみで衣類を乾燥させる請求項５〜７のいずれかに記載の浴室換気乾燥機。
【請求項９】
浴室内部の空気が目標乾燥性能に到達しないと制御手段が判断した場合、制御手段がはじめに換気手段の換気量を増やし、次に加熱手段の加熱量を増やす請求項８記載の浴室換気乾燥機。
【請求項１０】
目標終了時間に達するまでの最終段階において、必要最小限の時間のみ加熱手段を用いて衣類を乾燥させる請求項１〜３のいずれかに記載の浴室換気乾燥機。
【請求項１１】
制御手段に接続された記憶手段を備え、前記記憶手段に加熱手段を運転した場合の衣類の乾燥率の推移パターンを予め記憶させておき、前記制御手段が運転開始時には換気手段と送風手段のみを用いて衣類を乾燥させ、タイマーから得られる設定された目標終了時間までの残り時間と、前記記憶手段から得られる情報から、前記目標終了時間内に衣類を乾燥させるためには前記加熱手段を用いなければならない時間になったと判断した場合、前記加熱手段と前記換気手段と前記送風手段を用いて衣類を乾燥させる請求項１０記載の浴室換気乾燥機。
【請求項１２】
加熱手段を用いる場合には、衣類の量に応じて換気手段の換気量を変える請求項１０または１１記載の浴室換気乾燥機。
【請求項１３】
目標終了時間になった後も浴室から所定の量以上の水分が発生している場合、制御手段が加熱手段の加熱量を最大にして衣類を乾燥させる請求項４〜１２のいずれかに記載の浴室換気乾燥機。
【請求項１４】
浴室内部で発生する水分が所定の量以下になった時点で運転を終了する請求項４〜１３のいずれかに記載の浴室換気乾燥機。
【請求項１５】
運転が終了した後、浴室用温湿度検知手段から得られた浴室内部の絶対湿度が隣室用温湿度検知手段から得られた隣室の絶対湿度よりも所定の湿度以上に高い場合には、制御手段が換気手段を用いて換気する請求項４〜１４のいずれかに記載の浴室換気乾燥機。
【請求項１６】
制御手段に接続され浴室換気乾燥機の消費電力を測定する消費電力測定手段と制御手段の指示を受けて情報を表示する表示手段を備え、運転開始から衣類が乾燥するまでに要した時間とランニングコストを表示する請求項１〜１５のいずれかに記載の浴室換気乾燥機。
【発明の詳細な説明】
【技術分野】
【０００１】
本発明は、一般的な住宅の浴室において衣類を乾燥させる目的で使用され、省エネルギーで衣類を乾燥させる制御を備えた浴室換気乾燥機に関する。
【背景技術】
【０００２】
洗濯後の衣類はもともと屋外で干され、日光による乾燥が一般的であった。しかし近年共働き世帯や単身世帯が増加し、夜に洗濯をしたり盗難を防いだりするために室内や浴室で衣類を乾燥させるケースが増えている。
【０００３】
浴室で衣類を乾燥させる場合、浴室換気乾燥機を用いて強制的に加熱、送風、換気を行うことにより、室内で乾燥させる場合よりも短時間で衣類が乾燥する。しかしその際、多量のエネルギーを消費することが問題になっている。衣類の乾燥に消費するエネルギーを削減するためにこれまでいくつかの提案がなされてきた。その中でも、使用者が設定した時間内に乾くように運転を制御するという方法が、一つの効果的な方法と考えられる。これは共働き世帯や単身世帯では日中外出していることが多いため、朝に洗濯をして夕方まで干したままにしておく、あるいは夜に洗濯をして朝まで干したままにしておく、といった具合に衣類を長時間放置することが多いためである。長い時間をかけて衣類を乾かす場合には、少量のエネルギーで乾かすことができる可能性が高い。
【０００４】
従来の浴室換気乾燥機１０１の制御について、図８を参照しながら説明する。なお浴室換気乾燥機１０１の構成については図示していない。浴室換気乾燥機１０１は浴室内部に吸気口及び吹出し口を備え、本体に換気ファン、循環ファン、熱交換器、熱源機を備えたものである。制御方法は、使用者がはじめに衣類乾燥モードを選択（Ｓ１０３）した後、初期設定時間Ｚを入力する（Ｓ１０４）。初期設定時間とはその時間までに衣類の乾燥を終了させる目標時間のことである。はじめに浴室換気乾燥機１０１が運転を開始し（Ｓ１０５）、浴室内部の空気温度Ｔを検出する（Ｓ１０６）。浴室内部の空気温度Ｔに応じて熱源機を作動させる時間Ｘ（乾燥運転時間）を決定する（Ｓ１０７ａ〜Ｓ１０７ｃ）。次にＺ−Ｘの時間だけ送風と換気によって衣類を乾燥させ（Ｓ１０８）、最後に残りのＸ時間熱源機も運転して衣類を乾燥させる（Ｓ１０９）（例えば、特許文献１参照）。
【特許文献１】特開２００２−６２０４９号公報
【発明の開示】
【発明が解決しようとする課題】
【０００５】
特許文献１に例示されるような従来の浴室換気乾燥機の制御方法は浴室の温度に応じて熱源機を運転させる時間を決定しているが、衣類の乾燥時間を決定する要因は、温度の他にも湿度、衣類表面の風速、衣類の厚み、衣類の量などがあり、浴室の温度のみで衣類の乾燥時間を正確に予測することは非常に困難である。また、はじめの段階で衣類の乾燥時間を予測しているため、乾燥の途中で例えば降雨等の原因により周囲の環境が変わった場合、その影響を考慮することができない。このため、加熱量が不足して運転終了時に衣類がまだ乾いていなかったり、逆に加熱量が無駄に多かったりするという課題があった。
【０００６】
本発明はこのような従来の課題を解決するものであり、目標とする終了時間までに必要最小限の加熱量で衣類を乾燥させる浴室換気乾燥機を提供することを目的としている。
【課題を解決するための手段】
【０００７】
本発明は、前記目的を達成するために、使用者が衣類の乾燥が終了するまでの目標終了時間及び運転開始を指示するための操作部と、浴室内部の空気を排出する換気手段と、衣類に風を送る送風手段と、衣類に熱を与える加熱手段と、浴室内部の温度及び湿度を検知する浴室用温湿度検知手段と、浴室の換気経路上の風上に当たる隣室の温度及び湿度を検知する隣室用温湿度検知手段と、前記操作部及び前記浴室用温湿度検知手段及び前記隣室用温湿度検知手段の信号を受けて前記換気手段及び前記送風手段及び前記加熱手段を制御する制御手段と、前記制御手段に接続され時間を計測するタイマーを備え、前記制御手段が前記浴室用温湿度検知手段と前記隣室用温湿度検知手段で検知された各温度及び湿度から衣類の乾燥状態を計算し、算出された衣類の乾燥状態及び前記目標終了時間に達するまでの残り時間から、加熱量が必要最小限となるように前記加熱手段の動作を制御する浴室換気乾燥機である。
【０００８】
この手段により、目標終了時間までに必要最小限の加熱量で衣類を乾燥させる浴室換気乾燥機が得られる。
【０００９】
また他の手段は、前記目的を達成するために、衣類からの水分の蒸発速度から衣類の量を推測する浴室換気乾燥機である。
【００１０】
この手段により、簡単な機構によって衣類の重量を推測する浴室換気乾燥機が得られる。
【００１１】
また他の手段は、前記目的を達成するために、浴室からの水分の排出速度と衣類からの水分の蒸発速度との比較により衣類の表面積を推測し、衣類の表面積から衣類の量を推測する浴室換気乾燥機である。
【００１２】
この手段により、簡単な機構によって衣類の重量を推測する浴室換気乾燥機が得られる。
【００１３】
また他の手段は、前記目的を達成するために、制御手段が所定の時間ごとに加熱手段の加熱量を調節する浴室換気乾燥機である。
【００１４】
この手段により、乾燥中の周囲環境の変化に関わらず目標終了時間までに必要最小限の加熱量で衣類を乾燥させる浴室換気乾燥機が得られる。
【００１５】
また他の手段は、前記目的を達成するために、制御手段が目標終了時間内に衣類を乾燥させるために必要な浴室内部の空気の目標乾燥性能を決定し、前記目標乾燥性能に基づいて加熱手段の加熱量を調節する浴室換気乾燥機である。
【００１６】
この手段により、乾燥中の周囲環境の変化に関わらず目標終了時間までに必要最小限の加熱量で衣類を乾燥させる浴室換気乾燥機が得られる。
【００１７】
また他の手段は、前記目的を達成するために、制御手段が空気の目標乾燥性能を決定する際に、衣類の減率乾燥の影響を考慮する浴室換気乾燥機である。
【００１８】
この手段により、目標終了時間までに衣類を乾燥させる浴室換気乾燥機が得られる。
【００１９】
また他の手段は、前記目的を達成するために、制御手段がタイマーを用いて、空気の目標乾燥性能を所定の時間ごとに修正する浴室換気乾燥機である。
【００２０】
この手段により、目標終了時間までに衣類を確実に乾燥させる浴室換気乾燥機が得られる。
【００２１】
また他の手段は、前記目的を達成するために、運転開始時には換気手段と送風手段のみで衣類を乾燥させる浴室換気乾燥機である。
【００２２】
この手段により、必要最小限の加熱量で衣類を乾燥させる浴室換気乾燥機が得られる。
【００２３】
また他の手段は、前記目的を達成するために、浴室内部の空気が目標乾燥性能に到達しないと制御手段が判断した場合、制御手段がはじめに換気手段の換気量を増やし、次に加熱手段の加熱量を増やす浴室換気乾燥機である。
【００２４】
この手段により、必要最小限の加熱量で衣類を乾燥させる浴室換気乾燥機が得られる。
【００２５】
また他の手段は、前記目的を達成するために、目標終了時間に達するまでの最終段階において、必要最小限の時間のみ加熱手段を用いて衣類を乾燥させる浴室換気乾燥機である。
【００２６】
この手段により、簡単なプログラムによって目標終了時間までに必要最小限の加熱量で衣類を乾燥させる浴室換気乾燥機が得られる。
【００２７】
また他の手段は、前記目的を達成するために、制御手段に接続された記憶手段を備え、前記記憶手段に加熱手段を運転した場合の衣類の乾燥率の推移パターンを予め記憶させておき、前記制御手段が運転開始時には換気手段と送風手段のみを用いて衣類を乾燥させ、タイマーから得られる設定された目標終了時間までの残り時間と、前記記憶手段から得られる情報から、前記目標終了時間内に衣類を乾燥させるためには前記加熱手段を用いなければならない時間になったと判断した場合、前記加熱手段と前記換気手段と前記送風手段を用いて衣類を乾燥させる浴室換気乾燥機である。
【００２８】
この手段により、簡単なプログラムによって目標終了時間までに必要最小限の加熱量で衣類を乾燥させる浴室換気乾燥機が得られる。
【００２９】
また他の手段は、前記目的を達成するために、加熱手段を用いる場合には、衣類の量に応じて換気手段の換気量を変える浴室換気乾燥機である。
【００３０】
この手段により、必要最小限の加熱量で衣類を乾燥させる浴室換気乾燥機が得られる。
【００３１】
また他の手段は、前記目的を達成するために、目標終了時間になった後も浴室から所定の量以上の水分が発生している場合、制御手段が加熱手段の加熱量を最大にして衣類を乾燥させる浴室換気乾燥機である。
【００３２】
この手段により、目標終了時間になった後も衣類が乾燥していない場合には可能な限り短い時間で衣類を乾燥させる浴室換気乾燥機が得られる。
【００３３】
また他の手段は、前記目的を達成するために、浴室内部で発生する水分が所定の量以下になった時点で運転を終了する浴室換気乾燥機である。
【００３４】
この手段により、目標終了時間に関わらず実際に衣類が乾燥した後に運転を終了する浴室換気乾燥機が得られる。
【００３５】
また他の手段は、前記目的を達成するために、運転が終了した後、浴室用検知手段から得られた浴室内部の絶対湿度が隣室用検知手段から得られた隣室の絶対湿度よりも所定の湿度以上に高い場合には、制御手段が換気手段を用いて換気する浴室換気乾燥機である。
【００３６】
この手段により、運転が終了した後、浴室内部の湿度を適度に保つ浴室換気乾燥機が得られる。
【００３７】
また他の手段は、前記目的を達成するために、制御手段に接続され浴室換気乾燥機の消費電力を測定する消費電力測定手段と制御手段の指示を受けて情報を表示する表示手段を備え、運転開始から衣類が乾燥するまでに要した時間とランニングコストを表示する浴室換気乾燥機である。
【００３８】
この手段により、使用者が衣類の乾燥に要した時間とランニングコストを確認することができる浴室換気乾燥機が得られる。
【発明の効果】
【００３９】
本発明によれば、目標終了時間までに必要最小限の加熱量で衣類を乾燥させる浴室換気乾燥機が得られる。
【００４０】
また、簡単な機構によって衣類の重量を推測するという効果が得られる。
【００４１】
また、乾燥中の周囲環境の変化に関わらず目標終了時間までに必要最小限の加熱量で衣類を乾燥させるという効果が得られる。
【００４２】
また、目標終了時間までに衣類を確実に乾燥させるという効果が得られる。
【００４３】
また、簡単なプログラムによって目標終了時間までに必要最小限の加熱量で衣類を乾燥させる効果が得られる。
【００４４】
また、目標終了時間になった後も衣類が乾燥していない場合には可能な限り短い時間で衣類を乾燥させるという効果が得られる。
【００４５】
また、目標終了時間に関わらず実際に衣類が乾燥した後に運転を終了するという効果が得られる。
【００４６】
また、運転が終了した後、浴室内部の湿度を適度に保つという効果が得られる。
【００４７】
また、使用者が衣類の乾燥に要した時間とランニングコストを確認することができるという効果が得られる。
【発明を実施するための最良の形態】
【００４８】
本発明の請求項１記載の発明は、使用者が衣類の乾燥が終了するまでの目標終了時間及び運転開始を指示するための操作部と、浴室内部の空気を排出する換気手段と、衣類に風を送る送風手段と、衣類に熱を与える加熱手段と、浴室内部の温度及び湿度を検知する浴室用温湿度検知手段と、浴室の換気経路上の風上に当たる隣室の温度及び湿度を検知する隣室用温湿度検知手段と、前記操作部及び前記浴室用温湿度検知手段及び前記隣室用温湿度検知手段の信号を受けて前記換気手段及び前記送風手段及び前記加熱手段を制御する制御手段と、前記制御手段に接続され時間を計測するタイマーを備え、前記制御手段が前記浴室用温湿度検知手段と前記隣室用温湿度検知手段で検知された各温度及び湿度から衣類の乾燥状態を計算し、算出された衣類の乾燥状態及び前記目標終了時間に達するまでの残り時間から、加熱量が必要最小限となるように前記加熱手段の動作を制御する浴室換気乾燥機であり、目標終了時間までに必要最小限の加熱量で衣類を乾燥させる浴室換気乾燥機を提供することができる。
【００４９】
また本発明の請求項２記載の発明は、衣類からの水分の蒸発速度から衣類の量を推測する浴室換気乾燥機であり、重量検知機構などの高価な機構を用いる必要がなく、温度検知機構及び湿度検知機構といった比較的安価な機構によって衣類の重量を推測する浴室換気乾燥機を提供することができる。
【００５０】
また本発明の請求項３記載の発明は、浴室からの水分の排出速度と衣類からの水分の蒸発速度との比較により衣類の表面積を推測し、衣類の表面積から衣類の量を推測する浴室換気乾燥機であり、比較的安価な機構によって衣類の重量を推測する浴室換気乾燥機を提供することができる。
【００５１】
また本発明の請求項４記載の発明は、制御手段が所定の時間ごとに加熱手段の加熱量を調節する浴室換気乾燥機であり、乾燥中の周囲環境の変化に関わらず目標終了時間までに必要最小限の加熱量で衣類を乾燥させる浴室換気乾燥機を提供することができる。
【００５２】
また本発明の請求項５記載の発明は、制御手段が目標終了時間内に衣類を乾燥させるために必要な浴室内部の空気の目標乾燥性能を決定し、前記目標乾燥性能に基づいて加熱手段の加熱量を調節する浴室換気乾燥機であり、乾燥中の周囲環境の変化に関わらず目標終了時間までに必要最小限の加熱量で衣類を乾燥させる浴室換気乾燥機を提供することができる。
【００５３】
また本発明の請求項６記載の発明は、制御手段が空気の目標乾燥性能を決定する際に、衣類の減率乾燥の影響を考慮する浴室換気乾燥機であり、目標終了時間までに確実に衣類を乾燥させる浴室換気乾燥機を提供することができる。
【００５４】
また本発明の請求項７記載の発明は、制御手段がタイマーを用いて、空気の目標乾燥性能を所定の時間ごとに修正する浴室換気乾燥機であり、目標終了時間までに衣類を確実に乾燥させる浴室換気乾燥機を提供することができる。
【００５５】
また本発明の請求項８記載の発明は、運転開始時に換気手段と送風手段のみで衣類を乾燥させる浴室換気乾燥機であり、必要最小限の加熱量で衣類を乾燥させる浴室換気乾燥機を提供することができる。
【００５６】
また本発明の請求項９記載の発明は、浴室内部の空気が目標乾燥性能に到達しないと制御手段が判断した場合、制御手段がはじめに換気手段の換気量を増やし、次に加熱手段の加熱量を増やす浴室換気乾燥機であり、必要最小限の加熱量で衣類を乾燥させる浴室換気乾燥機を提供することができる。
【００５７】
また本発明の請求項１０記載の発明は、目標終了時間に達するまでの最終段階において、必要最小限の時間のみ加熱手段を用いて衣類を乾燥させる浴室換気乾燥機であり、簡単なプログラムによって目標終了時間までに必要最小限の加熱量で衣類を乾燥させる浴室換気乾燥機を提供することができる。
【００５８】
また本発明の請求項１１記載の発明は、制御手段に接続された記憶手段を備え、前記記憶手段に加熱手段を運転した場合の衣類の乾燥率の推移パターンを予め記憶させておき、前記制御手段が運転開始時には換気手段と送風手段のみを用いて衣類を乾燥させ、タイマーから得られる設定された目標終了時間までの残り時間と、前記記憶手段から得られる情報から、前記目標終了時間内に衣類を乾燥させるためには前記加熱手段を用いなければならない時間になったと判断した場合、前記加熱手段と前記換気手段と前記送風手段を用いて衣類を乾燥させる浴室換気乾燥機であり、簡単なプログラムによって目標終了時間までに必要最小限の加熱量で衣類を乾燥させる浴室換気乾燥機を提供することができる。
【００５９】
また本発明の請求項１２記載の発明は、加熱手段を用いる場合には、衣類の量に応じて換気手段の換気量を変える浴室換気乾燥機であり、衣類の量が少ない場合には換気量を少なくすることにより必要最小限の加熱量で衣類を乾燥させる浴室換気乾燥機を提供することができる。
【００６０】
また本発明の請求項１３記載の発明は、目標終了時間になった後も浴室から所定の量以上の水分が発生している場合、制御手段が加熱手段の加熱量を最大にして衣類を乾燥させる浴室換気乾燥機であり、目標終了時間になった後も衣類が乾燥していない場合には可能な限り短い時間で衣類を乾燥させる浴室換気乾燥機を提供することができる。
【００６１】
また本発明の請求項１４記載の発明は、浴室内部で発生する水分が所定の量以下になった時点で運転を終了する浴室換気乾燥機であり、目標終了時間に関わらず実際に衣類が乾燥した後に運転を終了する浴室換気乾燥機を提供することができる。
【００６２】
また本発明の請求項１５記載の発明は、運転が終了した後、浴室用検知手段から得られた浴室内部の絶対湿度が隣室用検知手段から得られた隣室の絶対湿度よりも所定の湿度以上に高い場合には、制御手段が換気手段を用いて換気する浴室換気乾燥機であり、運転が終了した後、浴室内部の湿度を適度に保つ浴室換気乾燥機を提供することができる。
【００６３】
また本発明の請求項１６記載の発明は、制御手段に接続され浴室換気乾燥機の消費電力を測定する消費電力測定手段と制御手段の指示を受けて情報を表示する表示手段を備え、運転開始から衣類が乾燥するまでに要した時間とランニングコストを表示する浴室換気乾燥機であり、使用者が衣類の乾燥に要した時間とランニングコストを確認することができる浴室換気乾燥機を提供することができる。
【００６４】
（実施の形態１）
本発明の実施の形態１の浴室換気乾燥機について、図１〜図５を参照しながら説明する。まずは、浴室換気乾燥機１の構成について図１を参照しながら説明する。図１は浴室換気乾燥機１の平面断面図である。
【００６５】
浴室換気乾燥機１は、換気手段としての換気ファン２及びモーター３及び浴室から空気を吸込む吸込み口４及び空気を屋外に排出する排出口５を備える。また送風手段としての送風ファン６及びモーター７及び浴室から空気を吸い込む吸込み口８及び浴室に空気を吹出す吹出し口９を備える。換気ファン２及び送風ファン６は、空気を吸込むときに圧力が必要な場合にも風量が確保できるようにシロッコファンとする。モーター３は、換気ファン２の風量を変化させられるようにＤＣモーターとし、３段階程度のノッチを設ける。換気ファン２及びモーター３の選定に当たっては、最小ノッチでの風量が５０［ｍ3／ｈ］程度、最大ノッチでの風量が３００［ｍ3／ｈ］程度得られるようにする。最大ノッチでの風量が３００［ｍ3／ｈ］も確保できない場合は、なるべく省エネルギーに衣類を乾燥させるために、最低でも２００［ｍ3／ｈ］以上とするのが望ましい。モーター７は安価なＡＣモーターとする。送風ファン６及びモーター７の選定に当たっては、風量が最低でも３００［ｍ3／ｈ］程度得られるようにするが、やはり省エネルギーに衣類を乾燥させるために、騒音が問題にならない範囲においてできる限り大きい風量が得られるとよい。なお吹出し口９にはルーバーを設けて吹出し風向を変え、衣類全体にまんべんなく送風できるようにしてもよい。
【００６６】
また浴室換気乾燥機１は、加熱手段としてのヒーター１０を送風ファン６と吹出し口９との間に備える。ヒーター１０はＰＴＣヒーターとし、３〜４段階程度のノッチを設ける。加熱量は最大ノッチで２０００［Ｗ］程度とする。
【００６７】
また浴室換気乾燥機１は、操作部１１を換気経路上の風上に当たる隣室（洗面脱衣室等）の内部に備える。操作部１１は図２に示すように電源ボタン１１ａ、スタートボタン１１ｂ、衣類乾燥ボタン１１ｃ、暖房ボタン１１ｄ、換気ボタン１１ｅを備え、運転モードを衣類乾燥、暖房、換気の中から選択することができる。他に涼風運転が選択できるようにしてもよい。また操作部１１は衣類乾燥モードが選択された場合に目標終了時間を設定することのできる目標終了時間設定ボタン１１ｆと、衣類乾燥モードが選択された場合の運転終了時に一回の運転に要した時間とランニングコストを表示するための表示手段としての表示板１１ｇを備える。表示板１１ｇには表示操作部を備え、使用者が必要とするときにのみ情報を表示させるようにしてもよい。
【００６８】
また浴室換気乾燥機１は、浴室用温湿度検知手段としての温度計１２と湿度計１３を吸込み口４の内部に備え、隣室用温湿度検知手段としての温度計１４と湿度計１５を操作部１１の内部に隣室の空気に触れるようにして備える。温度計１２、１４は熱電対とし、湿度計１３、１５は高分子膜湿度センサーとする。
【００６９】
また浴室換気乾燥機１は、制御手段としてのコントローラー１６を備える。コントローラー１６内部にタイマー（図示せず）および記憶手段としてのメモリー（図示せず）を備える。またコントローラー１６はモーター３、７と、ヒーター１０と、操作部１１と、温度計１２、１４と、湿度計１３、１５にそれぞれ接続されており、操作部１１から送られる指示を受けて、温度計１２、１４、湿度計１３、１５の情報を元に、モーター３、７及びヒーター１０の動作を制御する。
【００７０】
また浴室換気乾燥機１は、消費電力測定手段としての電力測定機１７を備える。電力測定機１７はコントローラー１６に接続され、コントローラー１６の指示を受けて運転開始から運転終了までに要した電力を測定し、コントローラー１６に情報を送る。
【００７１】
また浴室換気乾燥機１は、金属製のまたは樹脂製の筐体１８を備える。筐体１８は浴室の天井裏に設置される。
【００７２】
次に、衣類乾燥モードが選択された場合の動作の概要について図３を参照しながら説明する。各段階の制御の詳細な内容については後述する。なお暖房モード及び換気モードが選択された場合の制御については記載を省略する。
【００７３】
はじめに使用者が電源ボタン１１ａを押し（Ｓ０１）、次に衣類乾燥ボタン１１ｃを押すと（Ｓ０３）、目標終了時間設定ボタン１１ｆにより目標終了時間ｔg［ｈ］が入力できるようになる。使用者は目標終了時間ｔg［ｈ］を例えば８時間というように衣類の乾燥終了までに要する時間として入力し（Ｓ０４）、スタートボタン１１ｂを押す。スタートボタン１１ｂが押されると、衣類乾燥モードが選択されたことと入力された目標終了時間がコントローラー１６に信号として送られる。
【００７４】
コントローラー１６は信号を受けて衣類乾燥運転を開始する（Ｓ０５）。コントローラー１６は運転開始時にタイマーで時間の測定を始め、また電力測定機１７を用いて消費電力量の測定を始める。はじめに浴室内部に吊るされた衣類の量ｗcを推測する（Ｓ０６）。次に運転開始からの経過時間ｔと目標終了時間ｔgとを比較し（Ｓ０７）、経過時間ｔが目標終了時間ｔgに達していない場合は、目標乾燥性能ｑgを決定する（Ｓ０８）。経過時間ｔが目標終了時間ｔgに達している場合はヒーター１０の加熱量を最大にする（Ｓ０９）。その後、目標乾燥性能ｑgに基づいて、またはヒーター１０の加熱量を最大にした状態で衣類を乾燥させる（Ｓ１０）。Ｓ０７の時点から所定の時間（例えば１０分程度）経過した時点で、衣類の乾燥が終了したかどうかを浴室内部からの水分の排出速度ｒw［ｇ／ｈ］が所定の値ａ（例えば０．０１ｗc）以下になったかどうかで判断する（Ｓ１１）。水分の排出速度ｒwが所定の値ａより大きい場合、衣類の乾燥は終了していないと判断し、再びＳ０７に戻る。水分の排出速度ｒwが所定の値ａより小さい場合、衣類の乾燥が終了したと判断し、モータ３、７及びヒーター１０の運転を終了し、衣類の乾燥に要した時間とランニングコストを表示板１１ｇに表示する（Ｓ１２）。その後、湿度監視運転を開始する（Ｓ１３）。最後に使用者が電源ボタン１１ａを押して終了となる（Ｓ１４）。
【００７５】
浴室内部に吊るされた衣類の重量ｗc［ｇ］を推測する手順Ｓ０６について詳細に説明する。コントローラー１６は衣類の量を推測するときには風を起こさない程度の換気量、例えば５０［ｍ3／ｈ］程度が得られるようにモーター３を作動させる。また、モーター７及びヒーター１０は作動させないようにし、浴室内部に熱を与えたり風を送ったりしない状態で衣類から水分を発生させる。コントローラー１６は水分がある程度安定して発生するように運転開始から２〜３分程度経過した時点で、温度計１２、１４、湿度計１３、１５から得られる浴室内部の絶対湿度Ｘb［ｇ／ｋｇ′］及び隣室の絶対湿度Ｘr［ｇ／ｋｇ′］とモーター３の回転数から得られる換気量Ｖ［ｍ3／ｈ］を元に浴室内部で発生する水分の排出速度ｒw［ｇ／ｈ］を式１のように決定する。
【００７６】
ｒw＝（Ｘb−Ｘr）Ｖρ                              式１  
ρは乾燥空気の密度［ｋｇ′／ｍ3］を表している。ρは予め設定された一定の値、例えば１．２［ｋｇ′／ｍ3］とする。
【００７７】
また、温度計１２及び湿度計１３から得られる浴室内部の温湿度から衣類表面の絶対湿度Ｘcを推測する。衣類表面では水分の蒸発が起こっているため湿度は上昇し、浴室内部の空気が蒸発潜熱によって冷やされて温度は逆に低下する。蒸発によって空気の状態は変化するが、エンタルピーは変化しない。コントローラー１６の内部に予め湿り空気線図に沿ったプログラムを入力しておき、浴室内部の空気と等エンタルピーで湿度１００％の空気として表される衣類表面の絶対湿度Ｘcを求める。ここで、衣類から蒸発する水分の蒸発速度ｒe［ｇ／ｈ］を式２のように決定する。
【００７８】
ｒe＝（Ｘc−Ｘb）αＳ                              式２
αは湿気伝達率［ｇ／（ｍ2・ｈ・（ｇ／ｋｇ′））］である。湿気伝達率は浴室内部の気流が静穏であるとして予め設定された一定の値、例えば２０［ｇ／（ｍ2・ｈ・（ｇ／ｋｇ′））］とする。なお湿気伝達率は熱伝達率からルイスの関係を用いて予測される値であるが、物体表面の熱伝達率を正確に予測することは難しく、また衣類の表面においても水分が拡散しやすい位置としにくい位置ができてしまい、湿気伝達率は一様でないと考えられる。熱伝達率が４〜６［Ｗ／（ｍ2・Ｋ）］の間で変化すると考えると、湿気伝達率は１４〜２２［ｇ／（ｍ2・ｈ・（ｇ／ｋｇ′））］程度の間の値を用いるべきである。またＳ［ｍ2］は衣類の表面積を表す未知数である。
【００７９】
ここで、浴室内部で発生する水分の排出速度ｒw［ｇ／ｈ］と衣類から蒸発する水分の蒸発速度ｒe［ｇ／ｈ］が等しいという関係から式１と式２を連立し、衣類の表面積Ｓ［ｍ2］を算出する。得られた衣類の表面積から、式３のように衣類の重量ｗc［ｇ］を推測する。
【００８０】
ｗc＝ｂＳ                                          式３
係数ｂは衣類の面積当たりの重量を表す密度係数［ｇ／ｍ2］であり、主に衣類の厚みやポケット等の布の重なり程度に依存する。係数ｂは薄い綿の布で１２０［ｇ／ｍ2］程度、バスタオルで４００［ｇ／ｍ2］程度の値となるが、ここでは一定の値、例えば３００［ｇ／ｍ2］とし、予め設定しておく。
【００８１】
このようにして衣類の重量ｗc［ｇ］を推測する方法は、重量を測定する精度においては重量計より劣るが、温度計と湿度計という比較的安価に手に入る部材で推測できるというメリットがある。また例えロードセル等の高価な部材で重量を測定したとしても、脱水直後の水分を含んだ重量を測定することになるので、乾燥重量は乾燥率を一定の値として推測することになり、高い精度は期待できない。また使用者が衣類重量を入力するという方法も考えられるが、衣類の重量を測定することが使用者の負担になってしまう。
【００８２】
次に目標乾燥性能ｑg［ｇ／ｋｇ′］を決定する手順Ｓ０８について図４を参照しながら詳細に説明する。図４（ａ）は一般的な湿り空気線図を簡単に表現した概念図である。まず空気の乾燥性能ｑ［ｇ／ｋｇ′］を、空気が水分を含んだ固体表面と空間との絶対湿度差と定義する。固体表面からの水分の蒸発量は、式２で示したように、表面と空間との絶対湿度差ｑと湿気伝達率αと表面積Ｓとの積によって表されることが一般に知られている。ここで衣類表面の絶対湿度Ｘcを求めた際に示したように、固体表面の絶対湿度は空間の温度及び湿度から予測できる値である。そこで、固体表面と空間との絶対湿度差は空間の空気の乾燥性能として扱うことができると考えた。
【００８３】
ここで空気の乾燥性能ｑは、ある空気（図４においてＡで示す点）の絶対湿度ＸAと、その空気と等エンタルピーで湿度１００％の空気として表される固体表面の空気（図４においてＢで示す点）の絶対湿度ＸBとの差として求められる。なお衣類表面の風速が変化すると湿気伝達率αが変化するが、送風量を常に一定にすることにより、衣類表面の風速及び湿気伝達率も一定の値として扱う。例えば衣類表面の風速が平均１［ｍ／ｓ］程度である場合には、３０〜４０［ｇ／（ｍ2・ｈ・（ｇ／ｋｇ′））］程度とする。吹出し口９から吹出す風が一部の衣類にしか当たらない状態である場合にはこの前提が成り立たないので、吹出し口９から吹出す風がなるべく一様に衣類に当たるとよい。このためには吹出し口９に可動ルーバーをつけたり、衣類をかける竿に合わせて吹出し口９を横長の形状にしたりする等の対策が考えられる。
【００８４】
空気の乾燥性能ｑが小さいと衣類は乾きにくくなり、逆に空気の乾燥性能ｑが大きいと衣類は乾きやすくなる。一定の時間内に一定量の水分を蒸発させるために最低限必要な空気の乾燥性能ｑは一意に決まることから、目標乾燥性能ｑg［ｇ／ｋｇ′］を決定することができる。例えばｗr（ｔ）［ｇ］の水をｔr［ｈ］の時間内に乾燥させるために必要な目標乾燥性能ｑgは式４によって求められる。
【００８５】
ｑg＝ｗr／（αｔrＳ）                              式４
衣類の乾燥までに蒸発すべき残りの水分の量ｗr［ｇ］は式５によって求められる。
【００８６】
ｗr（ｔ）＝ｃｗc−∫ｒwｄｔ                        式５
係数ｃは乾燥開始時に衣類に含まれる水分の比率を表す係数である。実際にはこの水分の比率は衣類の吸水性によって変化するが、平均的な値として０．４〜０．５程度の値とする。∫ｒwｄｔは運転開始時からその時点までの水分の排出量［ｇ］を表している。
【００８７】
決定された目標乾燥性能ｑgは図４（ｂ）に示すような線として表現される。線の左側の領域Ｃでは空気の乾燥性能ｑが目標乾燥性能ｑgに不足する状態であり、線の右側の領域Ｄでは空気の乾燥性能ｑが目標乾燥性能ｑgに到達している状態である。目標乾燥性能ｑgを所定の時間ごとに修正することにより、衣類の乾燥が予測よりも遅い場合においても、目標終了時間ｔgまでに確実に衣類を乾燥させることができる。
【００８８】
また衣類乾燥には恒率乾燥過程と減率乾燥過程があることが知られている。恒率乾燥過程は衣類表面にできた水膜から水分が蒸発する過程であり、水分の蒸発速度は一定（恒率）である。この場合には目標乾燥性能ｑgを式４のままで決定することができる。しかし減率乾燥過程においては衣類表面の水膜がなくなっていき、衣類内部から衣類表面へと向かう湿気の流れが支配的になる。このときの蒸発速度は恒率乾燥過程よりも徐々に小さくなっていくため、空気の乾燥性能のみでは乾燥に要する時間を予測することができない。そこで、減率乾燥過程を含めた衣類の乾燥にかかる全体の時間が、恒率乾燥速度から予想される時間よりも長いことを想定して目標乾燥性能ｑgを決定する。具体的には、残り時間またｔr［ｈ］を式６のように決定する。
【００８９】
ｔr＝ｄ（ｔg−ｔ）                                式６
式６において、ｔg−ｔは目標乾燥時間ｔgに達するまでの残り時間を表している。係数ｄは減率乾燥過程において乾燥速度が遅くなることを考慮するための係数であり、２［−］程度の値とする。つまり全ての過程が恒率乾燥過程であった場合と比較して、実際には２倍程度の時間がかかることを意味している。このように減率乾燥過程を考慮することによって、目標終了時間ｔgまでに衣類の乾燥を終了することができる。なお係数ｄは衣類の形状や厚みによって変動する値であり、場合によっては使用者がある程度選択できるようにしたり（この場合操作部１１に「薄物」「厚物」ボタンを作る）、季節によって使い分けたり（この場合はコントローラー１６にカレンダー機能を搭載する）してもよい。
【００９０】
次に、既に目標乾燥時間ｔgに達している場合の制御Ｓ０９について説明する。この場合、衣類をできる限り速く乾燥させることが求められる。従ってそれまでの運転に関わらず、ヒーター１０の加熱量を最大ノッチにして衣類を乾燥させる。換気量についても最大ノッチとする。
【００９１】
次に衣類乾燥運転の手順Ｓ１０について図５を参照しながら詳細に説明する。Ｓ１０を始める初回の場合はモーター３、７を作動させ換気と送風のみで乾燥を始める。これははじめからヒーター１０を作動させてしまうと、ヒーター１０を作動させなくても衣類を乾燥できるような条件のよいときであってもヒーター１０を作動させ、その分無駄なエネルギーを消費してしまうためである。このとき送風量は最大で運転する。送風は衣類乾燥のどの過程においても大きければ大きいほどよいためである。換気量については最大ノッチとする。換気量については隣室の空気の状態によって一概に大きいほうがよいとは限らないが、衣類乾燥の初期段階においては水分の蒸発速度が大きいため、換気量は大きい方がよい場合が多い。２回目以降にＳ１０を始める場合は、その時点では前回のＳ１０で決定した運転をしていることになる。
【００９２】
衣類乾燥運転の手順Ｓ１０はその時点の空気の乾燥性能ｑを目標乾燥性能ｑgと比較するところから始まる。Ｓ１５は空気の乾燥性能ｑが、目標乾燥性能ｑgから所定の値ｅを差し引いた値よりも小さいかどうか、つまり空気の乾燥性能ｑが不足するかどうかの判断である。所定の値ｅは０．５〜１［ｇ／ｋｇ′］程度とする。空気の乾燥性能ｑが不足する場合は次にＳ１６で換気量が最大ノッチかどうかを判断する。換気量が最大ノッチ未満である場合には、ノッチを１段階上げる（Ｓ１７ａ）。換気量が既に最大ノッチである場合には、ヒーター１０の加熱量を１段階上げる（Ｓ１７ｂ）。それまで換気と送風のみで衣類を乾燥させていた場合には、ここではじめてヒーター１０を作動させることになる。このような制御をすることで、降雨により湿度が高くなったり、日射により温度が高くなったりする等の周囲の環境が変化した場合にも、その状況に応じて適切に運転を調節し、必要最小限の加熱量で衣類を乾燥させることができる。
【００９３】
Ｓ１８は空気の乾燥性能ｑが、目標乾燥性能ｑgから所定の値ｆを足した値よりも大きいかどうか、つまり空気の乾燥性能ｑが過分であるかどうかの判断である。所定の値ｆは所定の値ｅと同様に０．５〜１［ｇ／ｋｇ′］程度とする。衣類の乾燥後半では減率乾燥となり、水分の蒸発速度が遅くなるため、恒率乾燥と同じ運転をすると空気の乾燥性能ｑが過分になる可能性が大きい。この場合は空気の乾燥性能ｑが不足する場合と反対の順、つまりはじめに加熱量のノッチを下げ（Ｓ２０ａ）、次に換気量のノッチを下げる（Ｓ２０ａ）。
【００９４】
次に衣類の乾燥が終了したかどうかを判断する手順Ｓ１１について説明する。Ｓ１１では前述した通り、水分の排出速度ｒw［ｇ／ｈ］が所定の値ａ（例えば０．０１ｗc）以下になったかどうかで衣類の乾燥について判断する。ここで０．０１ｗcは衣類の乾燥率の約９９［％］に相当する値である。なお、何らかの問題があり衣類の重量ｗcを正確に予測できないことも想定される。この場合にもＳ１１を完了するために、所定の値ａを０．０１ｗcと一定の値（例えば０．０２）のいずれか大きい方としてもよい。
【００９５】
次に衣類の乾燥に要した時間とランニングコストの表示Ｓ１２について詳細に説明する。Ｓ１２になった時点で、コントローラー１６はタイマーの時間および電力測定機１７の測定情報をメモリーに記憶させる。衣類の乾燥に要した時間はタイマーで測定した運転開始からの経過時間ｔ［ｈ］である。衣類の乾燥に要したランニングコストは電力測定機１７で測定した運転開始からの消費電力量［Ｗｈ］から計算されるランニングコスト［円］である。電気の値段［円］は一定値（２２〜２３［円／ｋＷｈ］）とするが、現状として地域や時間帯によって多様であるため、使用者が自由に設定できるようにしてもよい。コントローラー１６はメモリーの情報から得られた衣類の乾燥に要した時間とランニングコストを表示板１１ｇに表示する。この表示はＳ１４で電源が切られた場合に終了する。
【００９６】
最後に、湿度監視運転Ｓ１３について詳細に説明する。衣類乾燥運転終了後も、乾燥が完全に終了していない場合には浴室内部の湿度が高くなり、一旦乾いた衣類も再び湿気を吸収してしまう。そこで温度計１２、１４と、湿度計１３、１５を用いて浴室内部と隣室の絶対湿度を監視し、浴室内部の湿度が隣室よりも所定の値、例えば２［ｇ／ｋｇ′］以上高い場合にはモーター３を１０分間程度作動させて換気する。こうすることにより、衣類乾燥運転終了後も浴室内部の湿度を適度に保ち、一旦乾いた衣類が再び湿気を吸収することを防ぎ、また乾燥が完全に終了していない衣類も徐々に乾燥する。
【００９７】
（実施の形態２）
本発明の実施の形態２の浴室換気乾燥機について図６、７を参照しながら説明する。実施の形態１と同一部分は同一符号を附し詳細な説明は省略する。
【００９８】
浴室換気乾燥機１の構成については浴室換気乾燥機１と同様であるので、説明を省略する。浴室換気乾燥機１はその時々においてヒーター１０を使用するかどうかを判断する制御方法であったが、これに対し、浴室換気乾燥機１ではヒーター１０を使用する場合は衣類乾燥の最終段階のみとし、ヒーター１０を使用開始する時間（以後、加熱開始時間ｔhという）になったかどうかを判断する制御方法である。この方法によると目標乾燥性能ｑgに基づいて換気量と加熱量を調節するといった複雑な制御が不要であり、簡単なプログラムで目標終了時間ｔgまでに必要最小限の加熱量で衣類を乾燥させることができる。
【００９９】
浴室換気乾燥機１の制御の概要を図６に示す。大半の手順は浴室換気乾燥機１と同様であるが、衣類乾燥運転に関する手順（Ｓ０６及びＳ２２〜Ｓ２４）が浴室換気乾燥機１と異なる。以下、異なる部分の手順に関して図７を参照しながら詳細に説明する。
【０１００】
まず、コントローラー１６に予め加熱時の予想乾燥率ｒh（ｔ）を設定しておく。加熱時の予想乾燥率ｒh（ｔ）とは、加熱した場合の衣類の乾燥率を表したものであり、目標終了時間ｔgに乾燥率９９［％］になるように設定されている。加熱を開始した場合には浴室内部の温度が急激に上昇し、それに伴って湿度が低下するため、衣類の乾燥が進む具合は周囲の環境にあまり影響されない。加熱を開始した場合に衣類の乾燥が進む具合は、主に加熱量と衣類の重量によって決まる。よって加熱量を一定とした場合、衣類の重量のみに影響される。このためＳ０６で推測された衣類の重量ｗcによって、加熱時の予想乾燥率ｒh（ｔ）を３段階程度に分けておくものとする。例えばｗc≦２［ｋｇ］の場合は予想乾燥率ｒh1（ｔ）、２＜ｗc≦５［ｋｇ］の場合は予想乾燥率ｒh2（ｔ）、５［ｋｇ］＜ｗcの場合は予想乾燥率ｒh3（ｔ）とし、ｒh1（ｔ）、ｒh2（ｔ）、ｒh3（ｔ）は乾燥率７０［％］から９９［％］までの時間がそれぞれ２、４、６［ｈ］になるようにする。いずれの予想乾燥率ｒh（ｔ）を使用するかは、衣類の重量を推測した時点（Ｓ０６）で決定する。なお乾燥率７０［％］から９９［％］までの時間（衣類の乾燥に要する時間）はヒーター１０の容量によって異なるため、ヒーター１０の仕様によってそれぞれ設定する必要がある。
【０１０１】
次に、Ｓ２２では時間ｔでの乾燥率ｒ（ｔ）を求める。乾燥率ｒ（ｔ）は式７から求められる。
【０１０２】
ｒ（ｔ）＝ｗc／（ｗc＋ｗr（ｔ））                  式７
続いてＳ２３では加熱開始時間ｔhになったかどうかを判断する。その時の乾燥率ｒ（ｔ）と加熱時の予想乾燥曲線ｒh（ｔ）を比較することにより、ｒ（ｔ）＞ｒh（ｔ）である場合には加熱開始時間ｔhになっていないとして、Ｓ２４ａに進む。ｒ（ｔ）≦ｒh（ｔ）である場合には加熱開始時間ｔhになったとして、Ｓ２４ｂに進む。図７においては加熱時の予想乾燥曲線をｒh2（ｔ）とした場合の加熱開始時間ｔhを示している。
【０１０３】
Ｓ２４ａではモーター３、７を作動させ、換気と送風のみで衣類乾燥運転を行う。このときの換気量は最大ノッチとする。
【０１０４】
Ｓ２４ｂではモーター３、７とヒーター１０を作動させ、換気と送風と加熱による衣類乾燥運転を行う。このときヒーター１０の加熱量は最大ノッチとする。換気量については、換気量を少な過ぎると浴室内部の湿気を十分に排出することができず、また換気量が多すぎると浴室内部の熱を大量に排出してしまうことになる。このため、衣類の量に応じて換気量を変えると加熱がより効率的になり、省エネルギーである。例えばｗc≦２［ｋｇ］の場合は４０［ｍ3／ｈ］程度、２＜ｗc≦５［ｋｇ］の場合は８０［ｍ3／ｈ］程度、５［ｋｇ］＜ｗcの場合は１２０［ｍ3／ｈ］程度とする。
【産業上の利用可能性】
【０１０５】
以上ように、本発明の浴室換気乾燥機は、吊るした状態の衣類を目標とする乾燥時間までに必要最小限の加熱量で乾燥させるものであり、洗濯乾燥室、サウナ、サンルーム等にも適用することができる。
【図面の簡単な説明】
【０１０６】
【図１】本発明の実施の形態１の浴室換気乾燥機及び浴室換気乾燥機の平面断面図
【図２】同操作部の配置図
【図３】同浴室換気乾燥機の制御の概要を示すフロー図
【図４】同目標乾燥性能の決め方の概念を示す図（（ａ）同目標乾燥性能の求め方を示す概念図、（ｂ）同目標乾燥性能で区分される領域を示す概念図）
【図５】同目標乾燥性能に基づく衣類乾燥運転の制御を示すフロー図
【図６】本発明の実施の形態２の浴室換気乾燥機の制御の概要を示すフロー図
【図７】同加熱開始時間を説明する概念図
【図８】従来技術の浴室換気乾燥機の制御の概要を示すフロー図
【符号の説明】
【０１０７】
１    浴室換気乾燥機
２    換気ファン
６    送風ファン
１０  ヒーター
１１  操作部
１２  温度計
１３  湿度計
１４  温度計
１５  湿度計
１６  コントローラー
１７  電力測定機
ｔg   目標終了時間
【図１】
0004978386.tif 000002
【図２】
0004978386.tif 000003
【図３】
0004978386.tif 000004
【図４】
0004978386.tif 000005
【図５】
0004978386.tif 000006
【図６】
0004978386.tif 000007
【図７】
0004978386.tif 000008
【図８】
0004978386.tif 000009